(57)【要約】【課題】簡便かつ精度の高い、生体インピーダンス法を用いた内臓脂肪算出方法及びその装置を提供する。  【解決手段】  性別と、腹部縦幅と腹部横幅の電気インピーダンスの比とを変数とする演算式を用いて被測定者の内臓脂肪面積を算出する。演算式として、例えば、内臓脂肪面積（cm2）をVFA、腹部縦横比をR1とし、VFA = a1 + b1×R1（a1, b1は定数）で表される式を用いる。さらに、腹部周囲径を変数に加えた演算式、例えば、腹部周囲径（cm）をW、腹部縦横比をR4とし、VFA = W×(a4 + b4×R4) + c4（a4, b4, c4 は定数）又はVFA = W2 ×(α4 + β4×R4) + γ4（α4, β4, γ4 は定数）により、内臓脂肪面積を算出する。算出された内臓脂肪面積と基準値を比較し、比較結果を出力する。同様に、内臓脂肪重量、内臓脂肪容積を算出することもできる。【選択図】  図２
2005103198.tif 000002
【特許請求の範囲】
【請求項１】
性別と、腹部縦幅と腹部横幅の電気インピーダンスの比と、を変数とする演算式を用いて被測定者の内臓脂肪面積を算出することを特徴とする内臓脂肪算出方法。
【請求項２】
前記演算式は、
内臓脂肪面積（cm2）をVFA、腹部縦横比をR1とすると、
VFA = a1 + b1×R1            （但し、a1, b1は定数）
で表されることを特徴とする請求項１に記載の内臓脂肪算出方法。
【請求項３】
性別と、腹部縦幅と腹部横幅の電気インピーダンスの比と、を変数とする演算式を用いて被測定者の内臓脂肪重量を算出することを特徴とする内臓脂肪算出方法。
【請求項４】
前記演算式は、
内臓脂肪重量（kg）をVFW、腹部縦横比をR2とすると、
VFW = a2 + b2×R2            （但し、a2, b2は定数）
で表されることを特徴とする請求項３に記載の内臓脂肪算出方法。
【請求項５】
性別と、腹部縦幅と腹部横幅の電気インピーダンスの比と、を変数とする演算式を用いて被測定者の内臓脂肪容積を算出することを特徴とする内臓脂肪算出方法。
【請求項６】
前記演算式は、
内臓脂肪容積（cm3）をVFV、腹部縦横比をR3とすると、
VFV = a3 + b3×R3            （但し、a3, b3 は定数）
で表されることを特徴とする請求項５に記載の内臓脂肪算出方法。
【請求項７】
性別、臍高位腹部周囲径と、腹部縦幅と腹部横幅の電気インピーダンスの比と、を変数とする演算式を用いて被測定者の内臓脂肪面積を算出することを特徴とする内臓脂肪算出方法。
【請求項８】
内臓脂肪面積（cm2）をVFA、腹部周囲径（cm）をW、腹部縦横比をR4とすると、
VFA = W×(a4 + b4×R4) + c4    （但し、a4, b4, c4 は定数）
または
VFA = W2 ×(α4 + β4×R4) + γ4    
（但し、α4, β4, γ4 は定数）
で表されることを特徴とする請求項７に記載の内臓脂肪算出方法。
【請求項９】
性別、臍高位腹部周囲径と、腹部縦幅と腹部横幅の電気インピーダンスの比と、を変数とする演算式を用いて被測定者の内臓脂肪重量を算出することを特徴とする内臓脂肪算出方法。
【請求項１０】
内臓脂肪重量（kg）をVFW、腹部周囲径（cm）をW、腹部縦横比をR5とすると、
VFW = W×(a5 + b5×R5) + c5       （但し、a5, b5, c5 は定数）
または
VFA = W2 ×(α5 + β5×R5) + γ5    
（但し、α5, β5, γ5 は定数）
で表されることを特徴とする請求項９に記載の内臓脂肪算出方法。
【請求項１１】
性別、臍高位腹部周囲径と、腹部縦幅と腹部横幅の電気インピーダンスの比と、を変数とする演算式を用いて被測定者の内臓脂肪容積を算出することを特徴とする内臓脂肪算出
方法。
【請求項１２】
内臓脂肪容積（cm3）をVFV、腹部周囲径（cm）をW、腹部縦横比をR6とすると、
VFV = W×(a6 + b6×R6) + c6       （但し、a6, b6, c6 は定数）
または
VFV = W2 ×(α6 + β6×R6) + γ6    
（但し、α6, β6, γ6 は定数）
で表されることを特徴とする請求項１１に記載の内臓脂肪算出方法。
【請求項１３】
腹部縦幅と腹部横幅のインピーダンスを測定するインピーダンス測定手段と、測定した腹部縦幅と腹部横幅のインピーダンス測定値から腹部縦横比を算出する腹部縦横比算出手段と、被測定者の性別を入力する被測定者情報入力手段と、前記の性別を記憶する被測定者情報記憶手段と、前記の腹部縦横比と被測定者情報とを用いて内臓脂肪情報を算出する内臓脂肪情報算出手段と、前記内臓脂肪情報算出手段により得られた内臓脂肪情報を出力する内臓脂肪情報出力手段と、を備えた内臓脂肪算出装置。
【請求項１４】
上記内臓脂肪情報は内臓脂肪面積あるいは内臓脂肪重量あるいは内臓脂肪容積にいずれかであることを特徴とする請求項１３記載の内臓脂肪算出装置。
【請求項１５】
腹部縦幅と腹部横幅のインピーダンスを測定するインピーダンス測定手段と、測定した腹部縦幅と腹部横幅のインピーダンス測定値から腹部縦横比を算出する腹部縦横比算出手段と、被測定者の性別と臍高位腹部周囲径を入力する被測定者情報入力手段と、前記の性別と臍高位腹部周囲径を記憶する被測定者情報記憶手段と、前記の腹部縦横比と被測定者情報とを用いて内臓脂肪情報を算出する内臓脂肪情報算出手段と、前記の内臓脂肪情報算出手段により得られた内臓脂肪情報を出力する内臓脂肪情報出力手段と、を備えた内臓脂肪算出装置。
【請求項１６】
前記内臓脂肪情報は内臓脂肪面積あるいは内臓脂肪重量あるいは内臓脂肪容積にいずれかであることを特徴とする請求項１５記載の内臓脂肪算出装置。
【請求項１７】
前記インピーダンス測定手段は、４個あるいは８個の印加電極および測定電極が各々対になって、印加電極対と測定電極対は腹部をはさんで略対向するように配置されることを特徴とする請求項１３乃至１６のいずれかに記載の内臓脂肪算出装置。
【請求項１８】
前記インピーダンス測定手段の印加電極対と測定電極対はベルト上に配置され、各々の電極対は被測定者の腹部周囲径に応じて可動であることを特徴とする請求項１３乃至１６のいずれかに記載の内臓脂肪算出装置。
【請求項１９】
前記インピーダンス測定手段の印加電極対と測定電極対は粘着性ゲルを有し、各々の電極対は被測定者の腹部周囲径に応じて可動であることを特徴とする請求項１３乃至１６のいずれかに記載の内臓脂肪算出装置。
【請求項２０】
前記インピーダンス測定手段の印加電極対と測定電極対は陰圧による吸着手段を有し、各々の電極対は被測定者の腹部周囲径に応じて可動であることを特徴とする請求項１３乃至１６のいずれかに記載の内臓脂肪算出装置。
【請求項２１】
前記内臓脂肪情報出力手段は、内臓脂肪面積の所定の基準値に対する比較結果を出力することを特徴とする請求項１３乃至１６のいずれかに記載の内臓脂肪算出装置。
【請求項２２】
前記内臓脂肪面積の、所定の基準値は100平方cmであることを特徴とする請求項２１に
記載の内臓脂肪算出装置。
【発明の詳細な説明】
【技術分野】
【０００１】
本発明は、生体インピーダンス法による腹部臍高位の内臓脂肪面積の算出機能を有する内臓脂肪算出方法及びその装置に関する。
【背景技術】
【０００２】
近年、肥満人口の増加と共に健康管理の重要性が指摘されるようになり、肥満に対する関心が高まっている。なかでも、内臓脂肪は臨床的な知見により生活習慣病の発症リスクと密に関連していることが明らかになり、内臓脂肪を簡便に正確に測定することへの関心が急速に高まっている。
【０００３】
従来の簡便な内臓脂肪算出方法および装置において、生体インピーダンス法が最も用いられてきており、たとえば、特許文献１、特許文献２、特許文献３、特許文献４においては、腹部周囲に複数の電極を任意に配してインピーダンスを測定することが開示されている。しかし、特許文献１〜４に記載された技術においては、任意の部位でのインピーダンスの測定では被験者の多様な脂肪分布を正しく測定できなかったり、測定装置が大掛かりになったりするという問題点があった。
【０００４】
また、特許文献５、特許文献６、特許文献７、特許文献８、特許文献９においては、この問題の解決のために、腹部の特定の部位でのインピーダンス測定を行い、内臓脂肪面積を算出することが開示されている。
【０００５】
【特許文献１】特開平11-123182号公報
【特許文献２】特開2000-175875号公報
【特許文献３】特開2001-286452号公報
【特許文献４】特開2002-315730号公報
【特許文献５】特開2001-178697号公報
【特許文献６】特開2001-252256号公報
【特許文献７】特開2001-252257号公報
【特許文献８】特開2002-238871号公報
【特許文献９】特開2002-369806号公報
【発明の開示】
【発明が解決しようとする課題】
【０００６】
しかし、特許文献５〜９に記載された技術においては、印加用電極対が生体の腹部周囲に配置され、略対向するように配置されると共に、印加用電極対にほぼ沿うか、あるいは交差する方向で測定電極対を配置してインピーダンスを測定している。これらの測定では電気生理学的な特性において内臓脂肪と皮下脂肪の間には差が見られないために、配置する電極対の相互の位置関係を特定することにより内臓脂肪のみを測定することを考案しているが、皮下脂肪の多寡がインピーダンス測定値に影響を与えることがあり、その結果として測定精度にまで影響が及ぶという問題点があった。
【０００７】
本発明はこのような従来の問題点に着目してなされたものであり、その目的は、簡便かつ精度の高い、生体インピーダンス法を用いた内臓脂肪算出方法及びその装置を提供することである。
【課題を解決するための手段】
【０００８】
上記目的を達成するために、本発明は、性別と、腹部縦幅と腹部横幅の電気インピーダ
ンスの比と、を変数とする演算式を用いて被測定者の内臓脂肪面積を算出することを特徴とする内臓脂肪算出方法である。
【０００９】
前記の演算式は、内臓脂肪面積（cm2）をVFA、腹部縦横比をR1とすると、
VFA = a1 + b1×R1            （但し、a1, b1は定数）
で表されることを特徴とする。
【００１０】
また、本発明は、性別と、腹部縦幅と腹部横幅の電気インピーダンスの比と、を変数とする演算式を用いて被測定者の内臓脂肪重量を算出することを特徴とする内臓脂肪算出方法である。
【００１１】
前記演算式は、内臓脂肪重量（kg）をVFW、腹部縦横比をR2とすると、
VFW = a2 + b2×R2            （但し、a2, b2は定数）
で表されることを特徴とする。
【００１２】
また、本発明は、性別と、腹部縦幅と腹部横幅の電気インピーダンスの比と、を変数とする演算式を用いて被測定者の内臓脂肪容積を算出することを特徴とする内臓脂肪算出方法である。
【００１３】
前記演算式は、内臓脂肪容積（cm3）をVFV、腹部縦横比をR3とすると、
VFV = a3 + b3×R3            （但し、a3, b3 は定数）
で表されることを特徴とする。
【００１４】
また、本発明は、性別、臍高位腹部周囲径と、腹部縦幅と腹部横幅の電気インピーダンスの比と、を変数とする演算式を用いて被測定者の内臓脂肪面積を算出することを特徴とする内臓脂肪算出方法である。
【００１５】
内臓脂肪面積（cm2）をVFA、腹部周囲径（cm）をW、腹部縦横比をR4とすると、
VFA = W×(a4 + b4×R4) + c4    （但し、a4, b4, c4 は定数）
または
VFA = W2 ×(α4 + β4×R4) + γ4    
（但し、α4, β4, γ4 は定数）
で表されることを特徴とする。
【００１６】
また、本発明は、性別、臍高位腹部周囲径と、腹部縦幅と腹部横幅の電気インピーダンスの比と、を変数とする演算式を用いて被測定者の内臓脂肪重量を算出することを特徴とする内臓脂肪算出方法である。
【００１７】
内臓脂肪重量（kg）をVFW、腹部周囲径（cm）をW、腹部縦横比をR5とすると、
VFW = W×(a5 + b5×R5) + c5       （但し、a5, b5, c5 は定数）
または  VFA = W2 ×(α5 + β5×R5) + γ5    
（但し、α5, β5, γ5 は定数）
で表されることを特徴とする。
【００１８】
また、本発明は、性別、臍高位腹部周囲径と、腹部縦幅と腹部横幅の電気インピーダンスの比と、を変数とする演算式を用いて被測定者の内臓脂肪容積を算出することを特徴とする内臓脂肪算出方法である。
【００１９】
内臓脂肪容積（cm3）をVFV、腹部周囲径（cm）をW、腹部縦横比をR6とすると、
VFV = W×(a6 + b6×R6) + c6       （但し、a6, b6, c6 は定数）
または
VFV = W2 ×(α6 + β6×R6) + γ6    
（但し、α6, β6, γ6 は定数）
で表されることを特徴とする。
【００２０】
また、本発明は、腹部縦幅と腹部横幅のインピーダンスを測定するインピーダンス測定手段と、測定した腹部縦幅と腹部横幅のインピーダンス測定値から腹部縦横比を算出する腹部縦横比算出手段と、被測定者の性別を入力する被測定者情報入力手段と、前記の性別を記憶する被測定者情報記憶手段と、前記の腹部縦横比と被測定者情報とを用いて内臓脂肪情報を算出する内臓脂肪情報算出手段と、前記内臓脂肪情報算出手段により得られた内臓脂肪情報を出力する内臓脂肪情報出力手段と、を備えた内臓脂肪算出装置である。
【００２１】
上記内臓脂肪情報は内臓脂肪面積あるいは内臓脂肪重量あるいは内臓脂肪容積にいずれかであることを特徴とする。
【００２２】
また、本発明は、腹部縦幅と腹部横幅のインピーダンスを測定するインピーダンス測定手段と、測定した腹部縦幅と腹部横幅のインピーダンス測定値から腹部縦横比を算出する腹部縦横比算出手段と、被測定者の性別と臍高位腹部周囲径を入力する被測定者情報入力手段と、前記の性別と臍高位腹部周囲径を記憶する被測定者情報記憶手段と、前記の腹部縦横比と被測定者情報とを用いて内臓脂肪情報を算出する内臓脂肪情報算出手段と、前記の内臓脂肪情報算出手段により得られた内臓脂肪情報を出力する内臓脂肪情報出力手段と、を備えた内臓脂肪算出装置である。
【００２３】
前記内臓脂肪情報は内臓脂肪面積あるいは内臓脂肪重量あるいは内臓脂肪容積にいずれかである。
【００２４】
前記インピーダンス測定手段は、４個あるいは８個の印加電極および測定電極が各々対になって、印加電極対と測定電極対は腹部をはさんで略対向するように配置されることを特徴とする。
【００２５】
前記インピーダンス測定手段の印加電極対と測定電極対はベルト上に配置され、各々の電極対は被測定者の腹部周囲径に応じて可動であることを特徴とする。
【００２６】
前記インピーダンス測定手段の印加電極対と測定電極対は粘着性ゲルを有し、各々の電極対は被測定者の腹部周囲径に応じて可動であることを特徴とする。
【００２７】
前記インピーダンス測定手段の印加電極対と測定電極対は陰圧による吸着手段を有し、各々の電極対は被測定者の腹部周囲径に応じて可動であることを特徴とする。
【００２８】
前記内臓脂肪情報出力手段は、内臓脂肪面積の所定の基準値に対する比較結果を出力することを特徴とする。
【００２９】
前記内臓脂肪面積の、所定の基準値は100平方cmであることを特徴とする。
【発明の効果】
【００３０】
本発明に係る内臓脂肪算出方法によれば、簡便かつ精度良く内臓脂肪情報を算出することができる。また、本発明によれば、小型かつ安価な内臓脂肪算出装置を提供できる。
【発明を実施するための最良の形態】
【００３１】
以下に本発明の実施の形態及び実施例について説明する。
【００３２】
図１は本発明の一実施形態に係る内臓脂肪算出装置１の概略構成を示すブロック図である。
【００３３】
内臓脂肪算出装置１は、制御/演算部２、測定電流発生部３、電極切替回路４Aおよび４B、電極群４１〜４８、電圧計測部５、入力部６、表示部７、出力部８を備える。
【００３４】
制御/演算部２は測定電流発生部３、入力部６、表示部７、出力部８に対して制御信号
を送り、内臓脂肪算出装置の測定動作を制御する。また、制御/演算部２では入力部６か
ら被測定者情報の入力を得て、図示しないRAM（被測定者情報記憶手段）にて記憶させる
。また、制御/演算部ではこのRAMで記憶された情報を読み出し、表示部７にて表示させたり、所定の算出式により内臓脂肪情報を算出して、出力部８に出力したりする。また、制御/演算部２の、図示しないROMには内臓脂肪算出式や後述のインピーダンス測定動作の手順を規定するプログラムなどが記憶されている。入力部（被測定者情報入力手段）６はキーボード式、テンキー式、タッチスクリーン式、ファンクションキー式などのいずれでも良い。
【００３５】
情報や結果等の表示は、表示部７にて行う。出力部（内臓脂肪情報出力手段）８は、結果をプリントアウトする。
【００３６】
内臓脂肪算出装置１はあらかじめ被測定者情報として性別が入力され、かつ腹部縦幅と腹部横幅のインピーダンスが測定されるならば、性別と腹部縦横比とを用いて、所定の演算式により臍高位の内臓脂肪情報を算出して求められる。また、得られた臍高位の内臓脂肪情報の一例である内臓脂肪面積と、日本肥満学会提唱の100平方cmとを比較して、その
結果の出力を行う。
【００３７】
あるいは、内臓脂肪算出装置１はあらかじめ被測定者情報として性別と臍高位の腹部周囲径が入力され、かつ腹部縦幅と腹部横幅のインピーダンスが測定されるならば、この被測定者情報と腹部縦横比とを用いて、所定の演算式により臍高位の内臓脂肪情報を算出して求められる。また、得られた臍高位の内臓脂肪情報の一例である内臓脂肪面積と、日本肥満学会提唱の100平方cmとを比較して、その結果の出力を行う。
【００３８】
ここでは、本発明のインピーダンス測定手段は、電極群４１〜４８、電極切替回路４A
および４B、測定電流発生部３、制御/演算部２によって構成される。また、本発明の腹部縦横比算出手段、内臓脂肪情報算出手段は、制御/演算部２によって構成される。
【００３９】
次に本発明の動作の説明を行う。すなわち、図２に示すように、まずステップ１（図中ではS1と略記）で内臓脂肪算出装置１に被測定者情報の一例である性別が入力される。あるいは被測定者情報として性別と腹部周囲径を入力しても良い。ここで、腹部周囲径はメジャーを用いて測定される。被測定者情報である性別、あるいは性別と腹部周囲径は入力後に記憶される。
【００４０】
ステップ２では腹部縦幅と腹部横幅のインピーダンスが測定される。ここで腹部縦幅のインピーダンスの測定では臍高位での臍部近傍と背部との間に交流電流が印加され、同部位でのインピーダンスが測定される。腹部横幅のインピーダンスの測定では臍高位の、左右の側腹部間に交流電流が印加され、同部位でのインピーダンスが測定される。
【００４１】
この測定において、測定に供される電極は４個あるいは８個の印加電極および測定電極であり、各々が対になっている。たとえば、図３に示す、電極が４個である実施形態の場合、印加電極対４２ａ・４３ａと測定電極対４１ａ・４４ａは腹部縦幅をはさんで略対向
するように配置され、第一の測定が行われる。すなわち、印加電極対４２ａ・４３ａ間に交流電流が印加され、測定電極対４１ａ・４４ａにより電圧を検出し、インピーダンスを測定する。測定された腹部縦幅のインピーダンス測定値が入力された後に、腹部横幅をはさんで略対向するように配置され、第二の測定が行われる。同様に、測定された腹部横幅のインピーダンス測定値が入力される。
【００４２】
また、図４に示す、電極が８個である実施形態の場合、印加電極対４２ａ・４３ａと測定電極対４１ａ・４４ａは腹部縦幅をはさみ、印加電極対４２ｂ・４３ｂと測定電極対４１ｂ・４４ｂは腹部横幅をはさんで略対向するように配置され、測定は時分割的あるいは同時に行われ、測定値は自動的に装置に入力・記憶される。
【００４３】
ステップ３では、ここまでに入力された情報が内臓脂肪算出装置１の表示部７に表示され、測定者によって確認される。このとき、必要があれば（例えば、測定値が所定の上限値・下限値を超えた異常な値を示す場合等）、このプロセスから前のプロセスに戻り、再度インピーダンスを測定してもよい。
【００４４】
ステップ４では内臓脂肪算出装置１に入力・記憶されたインピーダンス測定値および被測定者情報の性別、あるいは性別、腹部周囲径を用いて、所定の演算式により内臓脂肪情報が算出される。
【００４５】
ステップ５では、算出された内臓脂肪情報の一例である内臓脂肪面積について、日本肥満学会の基準値である100平方cmより大きいかどうかが判別され、図示しない表示部７あ
るいはプリンター等の出力部８により出力される。たとえば図５に一実施例としての出力形式を示す。ここでは、測定日、被測定者情報として入力された性別、年齢、身長、体重、腹部周囲径と、測定された腹部縦幅及び腹部横幅のインピーダンス値、これらの測定値から算出された腹部縦横比、被測定者情報及び測定値から算出された内臓脂肪面積とその基準値との大小関係が表示されている。内臓脂肪算出装置１によって提供できる情報は、これに限られず、腹部縦幅および腹部横幅のインピーダンス値から、体脂肪率（量）、皮下脂肪面積（量）等を算出することができるので、これらの情報を表示、出力するようにしてもよい。また、後述するV/S比を算出し、表示、出力するようにしてもよい。
【００４６】
ここで、本発明の内臓脂肪情報算出のアルゴリズムについて述べる。
【００４７】
従来、内臓脂肪の臨床的に簡便な指標として、腹部周囲径やV/S比が頻用されてきたが
、日本肥満学会の肥満症診断基準の中で、肥満症診断に至るフローとボディマスインデックス（BMI）、腹部周囲径、内臓脂肪面積などの関係が秩序立てられた。すなわち、BMIが25以上で、腹部周囲径が男性で85cm以上、女性で90cm以上、かつ内臓脂肪面積が100平方cm以上であるときに肥満症と診断される。
【００４８】
本発明に係る内臓脂肪情報算出方法を検討する中で、内臓脂肪面積と肥満症診断基準で用いられている臍高位の腹部周囲径との相関性を見たところ、対照法であるX線CTによる
臍高位の内臓脂肪面積との間に、男性の場合に相関係数が概ね0.8前後、女性の場合に相
関係数が概ね0.7前後であった。さらに、臍高位の腹部周囲径に加えて、X線CTによる測定で得られる内臓脂肪面積と皮下脂肪面積の比、即ちV/S比を用いると、男性の場合に相関
係数が0.95前後に、女性の場合に相関係数が0.88前後になった。しかし、V/S比はX線CTあるいはMRIによる測定でしか得られないために、簡便さや安全性を有する測定ができなか
った。
【００４９】
そこで、本発明者はV/S比に代えて、X線CTあるいはMRIによる測定で得られる腹部縦横
比を変数として、腹部周囲径と腹部縦横比を用いて重回帰分析を行い、比較検討したとこ
ろ、内臓脂肪面積との間に高い相関があり、かつV/S比と腹部縦横比との間にも高い相関
が得られることを本発明者は見いだした。さらに、腹部縦横幅と腹部縦横幅でのインピーダンス測定値との間に高い相関が認められることも見いだした。それは電気的に内臓脂肪と皮下脂肪との間には差がなく、腹部縦幅あるいは横幅は内臓脂肪の厚さと皮下脂肪厚の和を反映するインピーダンス測定値にほぼ置き換えられるからである。
【００５０】
臍高位の腹部周囲径とインピーダンス測定値による腹部縦横比を変数として、重回帰分析を再度行ったところ、
内臓脂肪面積（cm2）をVFA、腹部周囲径（cm）をW、腹部縦横比をRとすると
【００５１】
【数１】
2005103198.tif 000003
または
【００５２】
【数２】
2005103198.tif 000004
となり、図６に示すように男性の場合に相関係数が0.90に、図７に示すように女性の場合に相関係数が0.85という結果が得られた。
【００５３】
上記のアルゴリズムでは腹部周囲径を用いた説明を行ったが、腹部周囲径を用いないアルゴリズムにおいては内臓脂肪面積（cm2）をVFA、腹部縦横比をRとすると、
【００５４】
【数３】
2005103198.tif 000005
という関係も成立する。
【００５５】
また、内臓脂肪情報では内臓脂肪面積の代わりに、内臓脂肪重量あるいは内臓脂肪容積を用いてもよい。ここで、内臓脂肪重量および内臓脂肪容積は、いずれも安部・福永らの方法に従って、それぞれ総脂肪重量と皮下脂肪重量との差、総体積と皮下脂肪体積の差として求める。また、内臓脂肪情報として、内臓脂肪率（＝内臓脂肪重量/体重）を用いる
こともできる。
【００５６】
内臓脂肪情報として、内臓脂肪重量を用いる場合には、内臓脂肪重量（kg）をVFWとす
ると、
【００５７】
【数４】
2005103198.tif 000006
【００５８】
【数５】
2005103198.tif 000007
となり、腹部周囲径を用いない場合には、
【００５９】
【数６】
2005103198.tif 000008
となる。
【００６０】
内臓脂肪情報として、内臓脂肪容積を用いる場合には、内臓脂肪容積（cm3）をVFVとすると、
【００６１】
【数７】
2005103198.tif 000009
または
【００６２】
【数８】
2005103198.tif 000010
となり、腹部周囲径を用いない場合には、
【００６３】
【数９】
2005103198.tif 000011
となる。
【００６４】
次に、本発明に係る内臓脂肪算出装置の一つの実施例について説明する。
【００６５】
この内臓脂肪算出装置１は、ベルト上に印加電極対及び測定電極対を配置したものである。内臓脂肪情報の算出方法は、上述した通りであるので説明は省略する。
【００６６】
図８に、内臓脂肪算出装置１の外観を示す。
【００６７】
内臓脂肪算出装置１は、本体部１１とベルト部１２とからなる。使用者は、本体部１１を手に持ち、ベルト部１２を腹部、好ましくは臍高位の腹部周囲に巻き付けて使用する。
【００６８】
本体部１１には、電源スイッチ６１及び測定スイッチ６２、設定スイッチ６３を含む入力部６と表示部７が設けられている。
【００６９】
また、ベルト部１２の各電極は本体部１１と接続されている。
【００７０】
ベルト部１２には、４つの電極支持ユニット１２１，１２２，１２３，１２４が配置されている。例えば、被測定者の前側の電極支持ユニット１２１、背面側の電極支持ユニット１２２に、それぞれ印加電極４２ａ，４３ａを設け、左側面側の電極支持ユニット１２３，１２４に、それぞれ測定電極４１ａ，４４ａを設ける。印加電極４２ａ，４３ａおよび測定電極４１ａ，４４ａは、いずれもベルト部１２の内周側に露出して設けられ、被測定者の腹部体表面に接触するようになっている。
【００７１】
本実施例では、電極支持ユニット１２２，１２３，１２４はベルト部１２に沿って移動させることができるが、電極支持ユニット１２１はバックルに一体に設けられており、ベルト部１２に固定されている。この電極支持ユニット１２１をベルト部１２に沿って移動可能としてもよいことは当然である。
【００７２】
また、ベルト部１２は、前側の電極支持ユニット１２１がバックルになっており、ベルト部１２の長さを調節し、端部に設けられたタング部（図示せず）を電極支持ユニット１２１に連結できる構成となっている。
【００７３】
使用者は、入力部６によって所定の情報の入力及び操作指示を行う。入力部６から入力された情報は制御/演算部２がこれに応じた処理及び各部の制御を行う。また、制御/演算部２における測定結果等の情報は表示部７に表示される。
【００７４】
ベルト部１２に、８つの電極ユニット１２１，１２２，１２３，１２４，１２５，１２６，１２７，１２８が配置された内臓脂肪算出装置１を、図９に示す。右脇腹部に配置された電極支持ユニット１２５，１２６には、印加電極４２ｂ・４３ｂがそれぞれ設けられている。また、左脇腹部に配置された電極支持ユニット１２７，１２８には、測定電極４１ｂ・４４ｂがそれぞれ配置されている。他の構成は、図８に示した４電極を有する装置と同様である。
【００７５】
上述の内臓脂肪算出装置１では、印加電極対と測定電極対をベルト上に配置しているが、印加電極対と測定電極対を粘着性のゲルによって被測定者の皮膚に密着させ、自由に移動できるように構成してもよい。また、陰圧によって被測定者の体表面に吸着させる吸着手段に、印加電極対と測定電極対を配置し、自由に移動できるように構成してもよい。また、上述の内臓脂肪算出装置１では、印加電極対及び測定電極対を一対又は二対ずつ設けているが、印加電極対及び測定電極対の数はこれに限られない。
【００７６】
このように、内臓脂肪算出装置１によれば、簡便かつ精度良く内臓脂肪面積等の内臓脂肪情報を算出し、提供することができる。
【図面の簡単な説明】
【００７７】
【図１】図１は、本発明の一実施形態に係る内臓脂肪算出装置の概略構成を示すブロック図である。
【図２】図２は本発明の一実施形態に係る内臓脂肪算出方法の手順を示すフローチャートである。
【図３】図３は本発明の一実施形態に係る内臓脂肪算出装置の４電極での使用状態を模式的に示す図である。
【図４】図４は本発明の一実施形態に係る内臓脂肪算出装置の８電極での使用状態を模式的に示す図である。
【図５】図５は内臓脂肪面積の算出結果のプリントアウトの一実施例である。
【図６】図６は男性における、X線CTによる内臓脂肪面積と、本発明の一実施形態に係る内臓脂肪算出方法による内臓脂肪面積との相関関係を示すグラフである。
【図７】図７は女性における、X線CTによる内臓脂肪面積と、本発明の一実施形態に係る内臓脂肪算出方法による内臓脂肪面積との相関関係を示すグラフである。
【図８】図８はベルト式の内臓脂肪算出装置の一実施例の外観斜視図である。
【図９】図９はベルト式の内臓脂肪算出装置の他の実施例の外観斜視図である。
【符号の説明】
【００７８】
１            内臓脂肪算出装置
２            制御/演算部
３            測定電流発生部
４            電流切替回路
４１〜４８    電極群
５            電圧計測部
６            入力部
７            表示部
８            出力部
【図１】
2005103198.tif 000012
【図２】
2005103198.tif 000013
【図３】
2005103198.tif 000014
【図４】
2005103198.tif 000015
【図５】
2005103198.tif 000016
【図６】
2005103198.tif 000017
【図７】
2005103198.tif 000018
【図８】
2005103198.tif 000019
【図９】
2005103198.tif 000020